(57)【要約】【課題】駆動機構の作動時の発熱を抑えると共に撮像素子に対する防塵を効率よく行うことのできるカメラ用フォーカルプレンシャッタを提供すること。【解決手段】カメラ用フォーカルプレンシャッタは、開口部１aを有している地板１と、前記開口部１aの一方の側方領域において地板１上に配設されていて遮光羽根Ｂに前記開口部１aの開閉動作を行わせる駆動機構と、該駆動機構の上に前記地板１と平行に配設された支持板６と、前記駆動機構の前記開口部側に取り付けられていて前記開口部側から前記駆動機構側へ向けて送風するファンモータ８とを備えている。【選択図】図１
2014194450.tif 000002
【特許請求の範囲】
【請求項１】
開口部を有している地板と、前記開口部の一方の側方領域において前記地板上に配設されていて遮光羽根に前記開口部の開閉動作を行わせる駆動機構と、該駆動機構の上に前記地板と平行に配設された支持板と、前記駆動機構の前記開口部側に取り付けられていて前記開口部側から前記駆動機構側へ向けて送風するファンモータとを備えていることを特徴とするカメラ用フォーカルプレンシャッタ。
【請求項２】
前記地板は、前記ファンモータの風が吹き当る方向に粘着シートを設けていることを特徴とする請求項１に記載のカメラ用フォーカルプレンシャッタ。
【発明の詳細な説明】
【技術分野】
【０００１】
本発明は、カメラ用フォーカルプレンシャッタ、特にデジタルカメラ用フォーカルプレ
ンシャッタにおける駆動機構の冷却及び撮像素子の受像面等に対する防塵に関する。
【背景技術】
【０００２】
近年、デジタルカメラでは、高速連写、高耐久性が求められる傾向にあり、また、一層の小型化及びコンパクト化が要求されている。かかる要求に応じるため、これらのカメラ用フォーカルプレンシャッタにおいては、遮光羽根に開口部の開閉作動を行わせるために、多数の金属部品や樹脂部品を稠密に組み合わせて駆動機構を構成している。
【０００３】
従って、これらのフォーカルプレンシャッタにおいては、撮影時における駆動機構の構成部品の摺動により、発熱や部品の磨耗が生じ易くなるものの、高速連写、高耐久性の要求に十分応じなければならないないという問題があった。
【０００４】
また、これらのデジタルカメラにおいては、フォーカルプレンシャッタの後方即ち撮影者側に配置されている撮像素子の性能を十分に発揮させるためには、受像面は常に清浄な状態に保持することが好ましい。このために、従来、特許文献１に記載のようにしたものが提案されている。
【先行技術文献】
【特許文献】
【０００５】
【特許文献１】特開２００６−２０３７７６号公報
【発明の概要】
【発明が解決しようとする課題】
【０００６】
しかしながら、特許文献１に記載の装置は、冷却用ファンを用いて画像形成装置の防塵と冷却を目的とするものであった。このように、従来、カメラ用フォーカルプレンシャッタにおいて駆動機構内部における発熱の抑制や撮像素子に対する防塵のために、駆動機構に直接ファンモータを設けるという提案はなかった。
【課題を解決するための手段】
【０００７】
本発明は、上記事情に鑑みてなされたものであり、その目的とするところは、カメラ用フォーカルプレンシャッタにおいて、駆動機構の作動時の発熱を抑えると共に撮像素子に対する防塵を効率よく行うことのできるフォーカルプレンシャッタを提供することにある。
【０００８】
上記目的を達成するために、本発明によるカメラ用フォーカルプレンシャッタは、開口部を有している地板と、前記開口部の一方の側方領域において前記地板上に配設されていて遮光羽根に前記開口部の開閉動作を行わせる駆動機構と、該駆動機構の上に前記地板と平行に配設された支持板と、前記駆動機構の前記開口部側に取り付けられていて前記開口部側から前記駆動機構側へ向けて送風するファンモータとを備えていることを特徴とする。
【０００９】
また、本発明によるカメラ用フォーカルプレンシャッタにおいては、前記地板は、前記ファンモータの風が吹き当る方向に粘着シートを設けていることを特徴とする。
【発明の効果】
【００１０】
駆動機構に直接ファンモータを付設したから、駆動機構の構成部材の温度上昇を効率的に抑制することができると共に、開口部内への塵埃の進入を防止して撮像素子に粉塵が付着するのを防止することができる。
【図面の簡単な説明】
【００１１】
【図１】本発明実施例の平面図である。
【図２】図１の右側から左側に向かって見た正面図である。
【図３】駆動機構全体を簡略化して示した図１の分解斜視図である。
【発明を実施するための形態】
【００１２】
以下、本発明の実施の形態を図面を参照して詳細に説明する。
図１は本発明に係るフォーカルプレンシャッタの一実施例を被写体側から見た平面図であり、図２は図１の右側から左側に向かって見た正面図であり、図３はシャッタ駆動機構を簡略化して示した図１の分解斜視図である。
【００１３】
図中、１は方形をした開口部１aと、該開口部１aの短辺に隣接した位置に一対の底の浅い溝部１b，１bを有する地板で、この地板１の下側には、地板１と同形同大で、地板１との間に羽根室を画成する補助地板２が取り付けられている。地板１には、また、本体より小径でネジ孔つきの頭部を有する一対の支柱３，３が立設されおり、更に、地板１の左端縁には、内側面に粘着シート４を貼った壁部５が取り付けられている。また、羽根室の後方即ち図２において補助地板２よりも下方には、図示しない撮像素子が配置されている。
【００１４】
特に図３を参照して、６は、支柱３，３の頭部に嵌着される一対の孔６a,６aと、二対の孔６b,６b；6ｃ,6ｃを有していて、一対の孔６a,６aを支柱３，３の頭部にそれぞれ嵌着した後、該頭部に形成されたねじ孔にねじ７，７をねじ込むことにより、支柱３，３に固定される支持板で、この支持板上にはＦＰＣが載置固定されるようになっている。
【００１５】
地板１と壁部５と支持板６で画成される区画即ち図３において破線で囲まれた区画は、この種フォーカルプレンシャッタにおいて周知の遮光羽根の駆動機構即ち開口部１aを開閉する羽根Bを走行させるための地板１に回転可能に枢着されていて羽根Ｂに連結軸により枢支された二つのアーム，該アームを駆動するための駆動レバー及び駆動スプリング，該駆動レバーの走行のタイミングを制御する電磁装置等が収容されるべき区画であるが、この羽根駆動機構の詳細な構成と作用についての説明は省略する。
【００１６】
特に、図３を参照して、８は、一対の位置決め片８a,８aと一対の端子部８b,８bと該端子部８b,８bにそれぞれ接続された一対の導線８c,８cとを有する公知の構造のファンモータである。このファンモータ８,８は、図１及び２に示されるように、本体の下辺を地板１に設けられた溝部１bにそれぞれ嵌着し、位置決め片８a,８aを支持板６の孔６b,６b；6ｃ,6ｃにそれぞれ嵌着することにより、地板１に固定することができる。
【００１７】
なお、図１から明らかなように、ファンモータ８,８が所定の位置に取り付けられたとき、一対の導線８c,８c；８c,８cは、プリント配線板ＦＰＣに配設された一対の接続端子Ｔ,Ｔ；Ｔ,Ｔにそれぞれ対向し、これらを互いに接触させることにより、各ファンモータ８,８は、プリント配線板ＦＰＣの所定の回路に電気的に接続される。
【００１８】
この場合、プリント配線板ＦＰＣは、図示しない電源から前述の電磁装置へ制御電流を供給するための回路網を含んでいるが、各ファンモータ８,８へは、該電磁装置の作動中は勿論電磁装置の作動後一定の時間中は電流を供給し続け得るように構成した遅延回路により制御される。また、温度に着目する場合、感温素子を適宜配置して、温度を監視しながら制御するようにしてもよい。
【００１９】
以上の説明で明らかなように、ファンモータ８,８を取り付ける場合には、ファンモータ８,８の本体を持って各下縁を地板１の溝部１b,１bにそれぞれ合わせ、同時に本体上部の各位置決め片８a,８aを支持板６の孔６b,６b；6ｃ,6ｃにそれぞれ合わせて、それらを嵌着するだけで、取付けを完了することができる。また、ファンモータ８,８を取り外す場合には、各接続端子Ｔ,Ｔ；Ｔ,Ｔを各導線８c,８c；８c,８cから取り外すように、ファンモータ本体を持ち上げるだけで、簡単に目的を達成することができる。
【００２０】
本発明に係るカメラ用フォーカルプレンシャッタは、上記のように構成されているから、ファンモータ８，８が作動して開口部１a側から駆動機構内を図１に太い破線の矢印で示したように空気が流れて、駆動機構を冷却して温度上昇を抑えると共に、シャッタ内部の塵埃を粘着シートに付着させるから、遮光羽根Ｂの開閉に伴って開口部１aから図示しない撮像素子の表面に達する塵埃も皆無となる。また、塵埃が撮像素子に影響しないよう塵埃をシャッタの外に導くように、カメラ本体側を構成してもよい。かくして、カメラの高速連写の場合でも常に良質の写真を得ることができる。
【００２１】
以上、シャッタに２台のファンモータを装備したものとして説明したが、ファンモータの台数はこれに限定されるものではなく、一台であっても良いし、必要ならば三台以上であっても良い。
【符号の説明】
【００２２】
１             地板
１a            開口部
１b            溝部
２             補助地板
４             粘着シート
５             壁部
６             支持板
６a,６b,６c    孔
８             ファンモータ
８a            置決め片
ＦＰＣ         プリント配線板
Ｂ             遮光羽根
【図１】
2014194450.tif 000003
【図２】
2014194450.tif 000004
【図３】
2014194450.tif 000005